(57)【特許請求の範囲】
【請求項１】
使用前は縮小した状態の外形を有するシリンジアセンブリであって、
チャンバを画定する内側面、開いた近位端、およびそこを通る開口を有する遠位端を有するシリンジバレルと、
前記シリンジバレルの内部に少なくとも部分的に配置されるプランジャアセンブリであって、細長いプランジャロッド、および前記プランジャロッドに配置され、前記シリンジバレルの内部に摺動可能に配置されるプランジャヘッドを備え、前記プランジャヘッドが前記シリンジバレルの前記チャンバを前記近位端に隣接した近位チャンバと前記遠位端に隣接した遠位チャンバとに分離をし、アクチュエータ部分が少なくとも部分的に前記シリンジバレルの外側に伸び、前記シリンジバレルの内部の前記プランジャヘッドの動きをもたらすために適合される、プランジャアセンブリと、
前記シリンジバレルの前記近位チャンバと前記遠位端の前記開口との間に延在する導管と
を備え、
前記シリンジは、前記近位チャンバに流体を収容するようになされており、
前記近位チャンバの内部に収容される前記流体は、前記プランジャヘッドが前記シリンジバレルの前記近位端に向かって動くと、前記導管を通って前記シリンジバレルの前記遠位端の前記開口から外へ放出されるようになされており、
前記シリンジバレルの前記近位端に向かう前記プランジャヘッドの動きは、前記シリンジバレルの前記近位端に向かう前記アクチュエータ部分の動きにより生じ、前記シリンジバレルの前記近位端に向かう前記アクチュエータ部分の動きは、親指と人差し指との間での押し込む動きによる、従来のシリンジから流体を放出する従来の操作に基づく
ことを特徴とするシリンジアセンブリ。
【請求項２】
前記アクチュエータ部分は、前記プランジャヘッドと相互連結されることを特徴とする請求項１に記載のシリンジアセンブリ。
【請求項３】
前記アクチュエータ部分は、前記シリンジバレルの側壁の開口を通って前記プランジャヘッドと相互連結されることを特徴とする請求項２に記載のシリンジアセンブリ。
【請求項４】
前記アクチュエータ部分は、前記シリンジバレルの前記開いた近位端を通って前記プランジャヘッドと相互連結されることを特徴とする請求項２に記載のシリンジアセンブリ。
【請求項５】
前記プランジャアセンブリは、前記シリンジバレルの外面に沿って前記アクチュエータ部分から延在する外部アームをさらに備えることを特徴とする請求項４に記載のシリンジアセンブリ。
【請求項６】
前記プランジャロッドは、前記外部アームと相互連結される細長部を備えることを特徴とする請求項５に記載のシリンジアセンブリ。
【請求項７】
前記外部アームと前記プランジャロッドの前記細長部との間に延在する連結アームをさらに備えることを特徴とする請求項６に記載のシリンジアセンブリ。
【請求項８】
前記プランジャアセンブリは、前記アクチュエータ部分と連結アームとの間で前記シリンジバレルの外面に沿って延在する外部アームをさらに備え、前記連結アームは、前記外部アームと前記プランジャロッドの細長部との間に延在し、前記細長部は、前記連結アームと前記プランジャヘッドとの間に延在することを特徴とする請求項４に記載のシリンジアセンブリ。
【請求項９】
前記アクチュエータ部分は、少なくとも１つのフランジを備える周辺部のあるフランジカラーを備えることを特徴とする請求項１に記載のシリンジアセンブリ。
【請求項１０】
前記アクチュエータ部分は、前記シリンジアセンブリのユーザの人差し指を受けるようにそれぞれ構成された少なくとも２つのフランジを備えることを特徴とする請求項１に記載のシリンジアセンブリ。
【請求項１１】
前記シリンジバレルの前記開いた近位端を閉じるようになされたクロージャをさらに備えることを特徴とする請求項１に記載のシリンジアセンブリ。
【請求項１２】
前記クロージャは、締まりばめによって、前記シリンジバレルの前記内側面に対して嵌合するように構成された細長いネック部を備えることを特徴とする請求項１１に記載のシリンジアセンブリ。
【請求項１３】
前記クロージャは、その外部面に配置された触感面を備える指パッド部を備えることを特徴とする請求項１１に記載のシリンジアセンブリ。
【請求項１４】
前記指パッド部は、径方向において前記シリンジバレルの外部に延在することを特徴とする請求項１３に記載のシリンジアセンブリ。
【請求項１５】
前記導管は、前記シリンジバレルの前記近位チャンバと前記遠位端の前記開口の間の前記プランジャヘッドをまたいで延在することを特徴とする請求項１に記載のシリンジアセンブリ。
【請求項１６】
前記近位チャンバは、前記プランジャヘッドによって画定される遠位端と、角度をなす面によって画定される近位端とを有することを特徴とする請求項１５に記載のシリンジアセンブリ。
【請求項１７】
プランジャヘッドの近位端は、前記近位チャンバの前記近位端を画定する前記角度をなす面との係合を協同するためになされた角度をなす側面を有することを特徴とする請求項１６に記載のシリンジアセンブリ。
【請求項１８】
前記近位チャンバの前記近位端の前記角度をなす面は、引っ込んだ場所を画定し、前記導管への入口が前記引っ込んだ場所に位置付けられていることを特徴とする請求項１６に記載のシリンジアセンブリ。
【請求項１９】
前記角度をなす面は、前記シリンジバレルの前記開いた近位端を閉じるようになされたクロージャに配置されることを特徴とする請求項１６に記載のシリンジアセンブリ。
【請求項２０】
前記導管は、第１の端部、第２の端部、および前記第１の端部と前記第２の端部との間に延在する流体チャネルを備えることを特徴とする請求項１５に記載のシリンジアセンブリ。
【請求項２１】
前記導管の前記第１の端部は、前記シリンジバレルの前記遠位端の前記開口の内部に位置付けられることを特徴とする請求項２０に記載のシリンジアセンブリ。
【請求項２２】
前記導管の第２の端部は、前記近位チャンバの内部に延在することを特徴とする請求項２０に記載のシリンジアセンブリ。
【請求項２３】
前記近位チャンバの前記近位端に配置された角度をなす面は、引っ込んだ場所を画定し、前記導管の前記第２の端部は、前記引っ込んだ場所に位置付けられることを特徴とする請求項２２に記載のシリンジアセンブリ。
【請求項２４】
前記導管は、前記シリンジバレルの前記遠位端の前記開口に隣接して位置付けられた第１の端部と、前記プランジャヘッドに対して固定された第２の端部とを有するチューブを備えることを特徴とする請求項１５に記載のシリンジアセンブリ。
【請求項２５】
前記チューブの前記第２の端部は、前記プランジャヘッドの近位端に直接隣接していることを特徴とする請求項２４に記載のシリンジアセンブリ。
【請求項２６】
前記チューブは、前記遠位チャンバに収容される可撓性のあるチューブであり、前記プランジャヘッドが動くと、展開するようになされていることを特徴とする請求項２４に記載のシリンジアセンブリ。
【請求項２７】
前記チューブは、前記遠位チャンバに収容される巻きコイルの形状であり、前記プランジャヘッドが動くと、伸長するようになされることを特徴とする請求項２４に記載のシリンジアセンブリ。
【請求項２８】
前記導管が、前記シリンジバレルの全体的に細長い軸線に対して径方向に中心を合わせることを特徴とする請求項１５に記載のシリンジアセンブリ。
【請求項２９】
前記プランジャヘッドが前記シリンジバレルの前記近位端に向かって動くと、前記遠位チャンバの中に空気流れを提供するようになされた、前記シリンジバレルの壁を通って前記遠位チャンバに達する開口をさらに備えることを特徴とする請求項１に記載のシリンジアセンブリ。
【請求項３０】
前記プランジャヘッドが前記シリンジバレルの前記近位端に向かって動くと、前記シリンジバレルの外部に延在する前記プランジャロッドの一部を取り囲むようになされたバリアをさらに備えることを特徴とする請求項１に記載のシリンジアセンブリ。
【請求項３１】
前記バリアは、展開可能な蛇腹部であることを特徴とする請求項３０に記載のシリンジアセンブリ。
【請求項３２】
前記シリンジバレルの外部面は、前記アクチュエータ部分の内部周辺から延在する対応するフラップと相互作用するようになされた、あらかじめ定めた増加分での刻み目または突起を備えて、前記シリンジバレルの内部での前記プランジャヘッドの動きの表示を提供することを特徴とする請求項１に記載のシリンジアセンブリ。
【請求項３３】
使用前は縮小した状態の外形を有するシリンジアセンブリであって、
チャンバを画定する内側面、近位端、およびそこを通る開口を有する遠位端を有するシリンジバレルと、
前記シリンジバレルの内部に摺動可能に配置されるプランジャヘッドを備えるプランジャアセンブリであって、前記プランジャヘッドが前記シリンジバレルの前記チャンバを前記近位端に隣接した近位チャンバと前記遠位端に隣接した遠位チャンバとに分離する、プランジャアセンブリと、
ユーザの親指を受け入れるための、前記シリンジバレルの前記近位端に隣接した親指パッド部と、
前記シリンジバレルの内側での前記プランジャヘッドの動きをもたらすようになされた、ユーザの少なくとも１本の人差し指を受け入れるための、前記シリンジバレルの外部に延在する少なくとも１つの指フランジとを備え、
前記親指パッド部上の前記ユーザの親指と、前記少なくとも１つの指フランジ上の前記ユーザの少なくとも１本の人差し指との間での押し込む動きが、前記シリンジバレルの前記近位端に向かう前記少なくとも１つの指フランジと前記プランジャヘッドの動きをもたらし、
前記シリンジバレルは前記近位チャンバの流体を収容するために適合することを特徴とするシリンジアセンブリ。
【請求項３４】
使用前は縮小した状態の外形を有するプレフィルドシリンジアセンブリであって、
チャンバを画定する内側面、近位端、およびそこを通る開口を有する遠位端を有するシリンジバレルと、
前記シリンジバレルの内部に実質的に配置される細長いプランジャロッド、前記プランジャロッドに配置され、前記シリンジバレルの内部に摺動可能に配置されるプランジャヘッド、前記シリンジバレルの外面から外側に少なくとも部分的に延在し、親指と人差し指との間での押し込む動きによって前記シリンジバレルの前記近位端に向かうアクチュエータ部分、前記アクチュエータ部分と連結アームとの間で前記シリンジバレルの外面に沿って延在する外部アーム、前記外部アームと前記プランジャロッドの細長部との間に延在する前記連結アーム、前記連結アームと前記プランジャヘッドとの間に延在する前記細長部、を備えるプランジャアセンブリであって、前記プランジャヘッドが前記シリンジバレルの前記チャンバを前記近位端に隣接した近位チャンバと前記遠位端に隣接した遠位チャンバとに分離し、前記外部アーム、前記連結アーム、および前記細長部によって前記アクチュエータ部分と前記プランジャヘッドとが相互連結される、プランジャアセンブリと、
前記シリンジバレルの前記近位チャンバと前記遠位端の前記開口の間の前記プランジャヘッドをまたいで延在する導管とを備え、
流体が、前記近位チャンバに収容されていることを特徴とするプレフィルドシリンジアセンブリ。
【発明の詳細な説明】
【技術分野】
【０００１】
本発明は、流体の分注および送達のためになされたシリンジアセンブリを対象とする。より詳細には、本発明は、使用前に、縮小した外形を有する皮下注射シリンジなどのシリンジアセンブリであって、ユーザによる従来の動きを介してその内容物を送達するためになされていながら、逆方向の送達操作を含む、シリンジアセンブリを対象とする。
【０００２】
関連出願の相互参照
本出願は、２００９年８月２１日に出願された「Syringe Assembly with Inverse Delivery」と題する特許文献１の優先権を主張するものであり、ここに、その全開示を参照により本明細書に組み込む。
【背景技術】
【０００３】
シリンジアセンブリ、および特に皮下注射シリンジは、薬剤などの流体を分注するために、医療分野においてよく知られている。従来のシリンジは、一般に、一方の端部に開口を有するシリンジバレルと、もう一方の端部を通して配置されるプランジャ機構とを含む。プランジャは、一般に、バレルを通って延在するプランジャロッドを含み、バレルの内部のプランジャロッドの端部にはプランジャヘッド、またはストッパを備え、バレルの外に延在するプランジャロッドのもう一方の端部には指フランジを備える。使用の際、プランジャロッドは、シリンジバレルを通って後退し、プランジャロッドがシリンジバレルの後端部から外に延在しながら、薬剤などの流体を吸引する、または流体でシリンジバレルを満たす。患者に薬剤を送達するために、シリンジバレルの開口は、たとえば、患者の流体ラインと付着させるための、シリンジバレルの前端部に取り付けられた皮下注射針を通して、またはシリンジバレルの前端部から延在するルアータイプの取付け具を通して、患者と流体連通するためになされている。プランジャロッドを押し下げると、プランジャロッドおよびストッパは、シリンジバレル中を移動し、それにより、シリンジの内容物が、前端部の開口から強制的に出されて患者に送達される。そのような操作は、医療現場ではよく知られており、開業医は、標準的なシリンジによる、そのような通常の流体送達処置の使用には十分に慣れている。
【０００４】
従来のシリンジは、薬剤のバイアルと関連して使用されることがよく知られており、その場合、ユーザは、患者に流体を注射し、送達する直前に、流体をシリンジの中に引き込む。しばしば、皮下注射シリンジは、「プレフィルド」デバイスとしてパッケージされることがあり、ここでは、シリンジは、パッケージされ、エンドユーザに配送される前に、薬剤でプレフィルドされている。このやり方では、注射の前に、ユーザがデバイスを満たす必要がなく、それにより、エンドユーザの時間を節約し、送達のための一貫した容積が維持される。
【０００５】
しかしながら、そのようなプレフィルドシリンジのパッケージングは、かさばる傾向にある。プレフィルドシリンジは、一般に、バレルの前端部の開口がそれを覆うキャップを含み、プランジャロッドがシリンジバレルの後端部から外に後退し、流体がシリンジバレルの内部にプレフィルドされた状態で、パッケージされる。そのようなパッケージングは、出荷および保管には扱いにくいことがある、細長いパッケージを生み出す。
【０００６】
プレフィルドシリンジは、製造施設において麻酔剤または他の薬品で満たされ、パッケージされ、次いで医療施設に出荷されることが多い。一旦施設に着くと、これらのシリンジは、シリンジそれ自体および／またはこれらのシリンジの内容物の盗難を少なくするように、制御された保管庫および／または施錠されたキャビネットに置かれることが多い。これらの制御された保管場所内のスペースは限定されていることが多く、したがって、シリンジを収容するために必要な保管スペースを削減するためには、より小さな梱包の占有面積を有するシリンジアセンブリが必要である。保管キャビネット内でこれらのシリンジを積み重ねることを見込んで、外側面の形の観点から、均一であるシリンジを生産することもまた望ましい。
【先行技術文献】
【特許文献】
【０００７】
【特許文献１】米国特許仮出願第６１／２３５８０５号明細書
【発明の概要】
【課題を解決するための手段】
【０００８】
本発明は、使用前に、縮小した外形を有するシリンジアセンブリを提供し、それにより、従来のシリンジに比べて少ないスペースを占有し、余分な無駄を削減する、または排除する、縮小した全体サイズのための、かつ効率的なパッケージングのための機構を提供する。さらに、本発明のシリンジアセンブリの作動は、従来のシリンジと同様の操作を使用して実現され、それにより、使いやすさについて画一化された機構を提供する。
【０００９】
本発明の一実施形態において、満たされているときに、シリンジバレルの外形と実質的に同様の全体的な外形を備えるシリンジアセンブリを提供することによって、縮小した外形を達成する。これは、使用のために満たされているときに、シリンジバレルの内部に有意に配置されるプランジャロッドを備えるシリンジアセンブリを提供することによって実現することができ、プランジャロッドは、シリンジバレルの内容物を分注している間に、シリンジバレルから後退するようになされている。
【００１０】
一実施形態は、チャンバを画定する内側面、開いた近位端または後方端、およびそこを通る開口を有する遠位端または前方端を有するシリンジバレルを含む、シリンジアセンブリを企図する。シリンジバレルの内部には少なくとも部分的にプランジャアセンブリが配置され、プランジャアセンブリは、細長いプランジャロッド、およびプランジャロッドに配置され、シリンジバレルの内部に摺動可能に配置されるプランジャヘッドを備える。プランジャヘッドは、シリンジバレルのチャンバを、近位端に隣接した近位チャンバと遠位端に隣接した遠位チャンバとに分離する。シリンジバレルの近位チャンバと遠位端の開口との間に導管が延在する。シリンジアセンブリは、近位チャンバに流体を収容するようになされ、そのような流体は、プランジャヘッドがシリンジバレルの近位端に向かって動くと、導管を通ってシリンジバレルの遠位端の開口から外へ放出される。シリンジバレルの近位端に向かうプランジャヘッドの動きは、親指と人差し指との間での押し込む動きによる、従来のシリンジから流体を放出する従来の操作に基づいて生じる。そのような動きは、シリンジユーザにとって十分認識されており、動きは、一般に、プランジャロッドの親指パッドと、シリンジバレルの指フランジの上の人差し指との間で押し込むことを含む。本発明の実施形態によって、従来のシリンジと同様の操作による動きで逆方向の送達を実現し、それにより、ユーザが操作による使用の変化を意識することなく、縮小した外形のシリンジを達成する。
【００１１】
いくつかの実施形態において、プランジャアセンブリは、シリンジバレルの外面から外側に少なくとも部分的に延在してシリンジバレルの内部でのプランジャヘッドの動きをもたらすようになされた、アクチュエータ部をさらに含むことができる。アクチュエータ部は、たとえば、シリンジバレルの側壁を通って、またはシリンジバレルの開いた近位端を通って、プランジャヘッドと相互連結されてもよい。アクチュエータ部は、ユーザの人差し指を受けるように構成された少なくとも１つのフランジを含むことができ、一方、親指パッドを含むことができるクロージャで、シリンジバレルの近位端を閉じることができる。そのようなフランジおよび親指パッドは、シリンジの内容物の逆方向の送達を実現する一方で、従来のシリンジの、従来の押し込む操作による動きを受け入れるようになされている。
【００１２】
別の実施形態において、チャンバを画定する内側面、近位端、およびそこを通る開口を有する遠位端を有するシリンジバレルを含む、シリンジアセンブリが提供される。プランジャヘッドを含むプランジャアセンブリは、シリンジバレルの内部に摺動可能に配置され、プランジャヘッドが、シリンジバレルのチャンバを、近位端に隣接した近位チャンバと遠位端に隣接した遠位チャンバとに分離する。シリンジアセンブリは、ユーザの親指を受け入れるための、シリンジバレルの近位端に隣接した親指パッド部と、ユーザの少なくとも１本の人差し指を受け入れるための、シリンジバレルの外部に延在する少なくとも１つの指フランジとをさらに含み、指フランジは、シリンジバレルの内部でのプランジャヘッドの動きをもたらすようになされている。親指パッド部上のユーザの親指と、指フランジ上のユーザの人差し指との間での押し込む動きが、プランジャヘッドがシリンジバレルの近位端に向かう動きをもたらす。このようにして、従来のシリンジと同様の操作による動きでシリンジの内容物の逆方向の送達を実現し、それにより、ユーザが操作による使用の変化を意識することなく、縮小した外形のシリンジを達成する。
【００１３】
さらなる実施形態において、チャンバを画定する内側面、近位端、およびそこを通る開口を有する遠位端を有するシリンジバレルを含む、プレフィルドシリンジアセンブリが提供される。アセンブリは、シリンジバレルの内部に実質的に配置される細長いプランジャロッドと、プランジャロッドに配置され、シリンジバレルの内部に摺動可能に配置されるプランジャヘッドとを備える、プランジャアセンブリをさらに含む。プランジャヘッドは、シリンジバレルのチャンバを、近位端に隣接した近位チャンバと遠位端に隣接した遠位チャンバとに分離する。シリンジバレルの近位チャンバと遠位端の開口の間のプランジャヘッドをまたいで導管が延在する。流体は、近位チャンバに収容されており、それにより、流体を送達する使用のために用意されたプレフィルドシリンジアセンブリを提供する。
【００１４】
さらなる実施形態において、流体を送達する方法が、シリンジアセンブリを提供するステップを含み、シリンジアセンブリは、チャンバを画定する内側面、近位端、およびそこを通る開口を有する遠位端を有するシリンジバレルと、細長いプランジャロッド、およびプランジャロッドに配置され、シリンジバレルの内部に摺動可能に配置されるプランジャヘッドを備えるプランジャアセンブリであって、プランジャヘッドがシリンジバレルのチャンバを近位端に隣接した近位チャンバと遠位端に隣接した遠位チャンバとに分離し、流体が近位チャンバに収容されており、シリンジバレルの外面から外側に少なくとも部分的に延在するアクチュエータ部をさらに備える、プランジャアセンブリと、シリンジバレルの近位チャンバと遠位端の開口との間に延在する導管とを備える。方法は、親指を、シリンジバレルの近位端に非常に近い位置でシリンジアセンブリに位置付け、少なくとも１本の人差し指を、アクチュエータ部に位置付けるステップと、少なくとも１本の人差し指および親指を互いに向かって動かすように押し込む動作を適用するステップとをさらに含む。そのような動作が、アクチュエータ部をシリンジバレルの近位端に向かって動かし、プランジャヘッドがシリンジバレルの近位端に向かう動きをもたらして、近位チャンバに収容された流体を、導管を通し、遠位端の開口を通してシリンジバレルから外へ放出する。
【図面の簡単な説明】
【００１５】
【図１Ａ】使用前のプレフィルド状態を示す、本発明の一実施形態におけるシリンジアセンブリの透視図である。
【図１Ｂ】図１Ａのシリンジアセンブリの正面平面図である。
【図１Ｃ】図１Ａのシリンジアセンブリの側面平面図である。
【図１Ｄ】図１Ａのシリンジアセンブリの側断面図である。
【図２】ユーザによる使用中を示す、図１Ａのシリンジアセンブリの透視図である。
【図３】薬剤が放出された後、ユーザによる使用後を示す、図１Ａのシリンジアセンブリの透視図である。
【図４Ａ】使用後、薬剤を分注した後を示す、図１Ａのシリンジアセンブリの透視図である。
【図４Ｂ】使用後の図４Ａのシリンジアセンブリの正面平面図である。
【図４Ｃ】使用後の図４Ａのシリンジアセンブリの側面平面図である。
【図４Ｄ】使用後の図４Ａのシリンジアセンブリの側断面図である。
【図５Ａ】使用前のプレフィルド状態を示し、蛇腹部をさらに含む、図１Ａのシリンジアセンブリと同様のシリンジアセンブリの側面平面図である。
【図５Ｂ】図５Ａのシリンジアセンブリの側断面図である。
【図５Ｃ】蛇腹部の詳細を示す、図５Ａの拡大側断面図である。
【図６Ａ】使用後に蛇腹部が展開した状態で、薬剤を分注した後を示す、図５Ａのシリンジアセンブリの側面平面図である。
【図６Ｂ】図６Ａのシリンジアセンブリの側断面図である。
【図６Ｃ】展開した蛇腹部の詳細を示す、図６Ａの拡大側断面図である。
【図７Ａ】使用前のプレフィルド状態を示す、さらなる実施形態におけるシリンジアセンブリの透視図である。
【図７Ｂ】図７Ａのシリンジアセンブリの正面平面図である。
【図７Ｃ】図７Ａのシリンジアセンブリの側面平面図である。
【図７Ｄ】図７Ａのシリンジアセンブリの側断面図である。
【図８Ａ】使用後、薬剤を分注した後を示す、図７Ａのシリンジアセンブリの透視図である。
【図８Ｂ】使用後の図８Ａのシリンジアセンブリの正面平面図である。
【図８Ｃ】使用後の図８Ａのシリンジアセンブリの側面平面図である。
【図８Ｄ】使用後の図８Ａのシリンジアセンブリの側断面図である。
【図９】使用前のプレフィルド状態を示す、さらなる実施形態におけるシリンジアセンブリの側断面図である。
【図１０】使用後、薬剤を分注した後を示す、図９のシリンジアセンブリの側断面図である。
【図１１】使用前のプレフィルド状態を示す、さらなる実施形態におけるシリンジアセンブリの側断面図である。
【図１２】使用後、薬剤を分注した後を示す、図１１のシリンジアセンブリの側断面図である。
【図１３】従来のシリンジを、本発明に従ったシリンジアセンブリと比較する透視図である。
【発明を実施するための形態】
【００１６】
以下での説明の目的のために、用語、「上方の」「下方の」「右の」「左の」「垂直の」「水平の」「上部」「底部」「横方向の」「長手方向の」、およびそれらの派生語は、図面において方向付けられる通りに、本発明に関連する。しかしながら、相反することが明示的に規定される場合を除いて、本発明がさまざまな代替的実施形態を想定してもよいことを理解するべきである。添付の図面において図示され、以下の明細書において説明される特定のデバイスが、本発明の単なる例示的な実施形態であることもまた理解するべきである。したがって、本明細書で開示される実施形態に関連した特定の寸法および他の物理的な特徴は、限定するものとしてみなされるべきではない。
【００１７】
次に、流体の分注および送達のためになされた、全体的に１０として示すシリンジアセンブリを表す図１Ａ〜１Ｄを参照する。シリンジアセンブリ１０は、薬剤などの流体を、患者に注射する、または注入するための使用を意図しており、本説明の目的のために、皮下注射シリンジとして全体的に示し、説明する。シリンジアセンブリ１０は、たとえば、シリンジアセンブリ１０を別個の針アセンブリ（図示せず）に接続することによって針と関連して、あるいは、静脈注射（ＩＶ）接続アセンブリと関連して使用することが企図される。
【００１８】
シリンジアセンブリ１０は、前方端または遠位端１６と後方端または近位端１８との間に延在するバレル壁１４によって画定されるシリンジバレル１２を含み、それによりシリンジバレル１２の内部チャンバ２０を画定する。シリンジバレル１２は、皮下注射シリンジの一般的な形として当技術分野で知られているような、細長い円筒状のバレルの一般的な形状であってよいが、送達するための流体を収容するための他の形状がまた企図されてもよい。シリンジバレル１２の前方端１６は、出口開口２２を含み、後方端１８は、一般には開口端であるが、本明細書でさらに詳細に論じるように、外部環境に対して閉ざされていることを意図する。シリンジバレル１２は、シリンジバレル１２の内部に収容された流体の水平面または量についての表示を提供するための、その壁上に目盛２６などのマーキングを含むことができる。そのようなマーキングは、外壁、内壁の上に提供されても、またはシリンジバレル１２の壁の内部に一体的に形成される、もしくは他のやり方で形成されてもよい。あるいは、またはそれに加えて、当技術分野で知られ得るように、マーキングは、シリンジの内容物の説明、または他の識別情報を提供することができる。
【００１９】
言及したとおり、シリンジバレル１２の前方端１６は、出口開口２２を含む。出口開口２２の外形は、針アセンブリまたはＩＶ接続アセンブリなどの別個のデバイスと係合するためになされていてもよく、したがって、出口開口２２に取り付けるため、そのような別個のデバイスの別個の先細り状のルアー嵌合面（図示せず）と係合させるために、そのような係合のための機構、たとえば一般的に先細り状のルアーチップ２８を含むことができる。加えて、それらの間の係合をロックするために、内部ねじ山３２を含むルアーロック３０などの機構が提供されてもよい。そのようなルアー接続およびルアーロック機構は、当技術分野でよく知られている。さらに、シリンジバレル１２は、シリンジバレル１２の壁を通って前方端１６に隣接した内部チャンバ２０に達する少なくとも１つの開口、たとえば通気孔３４を含み、その使用は、本明細書でさらに詳細に説明する。
【００２０】
シリンジアセンブリ１０は、シリンジバレル１２の内部に、その一部が少なくとも部分的に配置されるプランジャアセンブリ４０をさらに含む。プランジャアセンブリ４０は、シリンジバレル１２の内部チャンバ２０の内部に収容された流体を分注するための機構を提供する。特に、プランジャアセンブリ４０は、内部チャンバ２０の内部に配置され、シリンジバレル壁１４の内部面と接触しているプランジャヘッドまたはストッパ部５０を含み、それにより、内部チャンバ２０を、シリンジバレル１２の、近位端または後方端１８に隣接した近位チャンバ２０ａと、遠位端または前方端１６に隣接した遠位チャンバ２０ｂとに分離する。プランジャヘッド５０は、シリンジバレル壁１４の内部面にシーリング係合を提供するための、プランジャヘッド５０の外側周囲のまわりに延在する、リブ５２などの１つまたは複数の環状リブを含むことができる。
【００２１】
プランジャヘッド５０は、プランジャヘッド５０がシリンジバレル壁１４の内部面に沿って摺動しながら、または進みながら、シリンジバレル１２の内部チャンバ２０の内部を動くためになされている。そのような動きは、シリンジバレル１２の外面から外側に少なくとも部分的に延在する、プランジャアセンブリ４０の別個のアクチュエータ部によってもたらされてもよい。たとえば、指フランジ４８ａおよび４８ｂを含む周辺部のあるフランジカラー４８の形状をしたアクチュエータが、シリンジバレル１２の外部、たとえば、シリンジバレル壁１４の外部面に沿って延在することができ、たとえば、壁１４を通る開口またはチャネルを直接通って、シリンジバレル１２の一般に開口端の後方端１８を通って延在するアセンブリを通して、またはさらなる相互連結を通して、プランジャヘッド５０と相互連結されてもよい。アクチュエータは、指フランジ４８ａ、４８ｂの対を含むフランジカラー４８として示すが、任意の数の指フランジがあってもよいことが企図される。
【００２２】
図１Ａ〜１Ｄに表すような一実施形態において、プランジャアセンブリ４０は、プランジャヘッド５０を、外部のフランジカラー４８ならびに指フランジ４８ａおよび４８ｂと連結するためのプランジャロッド４２を含む。プランジャロッド４２およびプランジャヘッド５０は、一体的に形成されてもよく、または、別個の要素として取り付けられる、もしくは別のやり方で共に相互連結されてもよい。たとえば、プランジャロッド４２は、堅い高分子材料からできていてもよく、プランジャヘッド５０は、２ショット成形プロセスなどによりプランジャロッド４２と一体的に成形される、別個のシリコーンまたはゴム加工された材料から形成されても、または、プランジャロッド４２に機械的に取り付けられる、もしくは接着で固定される別個の材料であってもよい。
【００２３】
シリンジバレル１２の開いた後方端１８を通って、プランジャアセンブリ４０のアクチュエータ部をプランジャヘッド５０と相互連結するための、さまざまなアセンブリが企図される。たとえば、プランジャアセンブリ４０のプランジャロッド４２は、第１の細長部を含むことができ、第１の細長部は、プランジャヘッド５０に連結され、シリンジバレル１２の内部チャンバ２０の内部に延在し、シリンジバレル１２の開いた後方端１８を通って出る。図１Ｄに示すように、プランジャアセンブリ４０は、フランジカラー４８ならびに指フランジ４８ａおよび４８ｂを連結するための、シリンジバレル１２の外面に沿って延在する外部アーム４４をさらに含むことができ、連結アーム４６が、内部のプランジャロッド４２と外部アーム４４とを相互連結する。このようにして、指フランジ４８ａ、４８ｂは、シリンジバレル１２の開いた後方端１８を通って、外部アーム４４、連結アーム４６、および内部のプランジャロッド４２のそれぞれを介して、プランジャヘッド５０と相互連結される。
【００２４】
言及したとおり、シリンジバレル１２の後方端１８は開口端である。シリンジアセンブリ１０は、シリンジバレル１２の開いた後方端１８を閉じるための、キャップ６０などのクロージャをさらに備えて、それにより、内部チャンバ２０を閉じたチャンバとして提供することができる。キャップ６０は、シリンジ壁１４の内径に締まりばめを提供するように、シリンジ壁１４の内径と実質的に同じ外径を有するネック６２の形状をした細長部を含み、それにより、キャップ６０を定位置に保持する。キャップ６０は、機械的係合、生体適合性の接着剤、音波溶接、その他などによって、定位置に固定するように付着されてもよい。キャップ６０は、シリンジバレル１２の外部に延在する指パッド部６４を含み、これは、ユーザに触感面を提供するための指リブ６６を備えることができる。キャップ６０はまた、シリンジバレル１２の内部に延在するネック６２の端部に、角度をなす側面６８を含むことができ、本明細書でさらに詳細に説明するように、流体の流出を受け入れるための、シリンジバレル１２の近位端１８に隣接した引っ込んだ領域を提供する。プランジャヘッド５０はまた、さらに詳細に説明するように、内部チャンバ２０内におけるプランジャヘッド５０の全押し退け容積の際にキャップ６０の角度をなす側面６８との係合を協同するための、角度をなす側面５４を、プランジャヘッド５０の近位端に含むことができる。
【００２５】
シリンジアセンブリ１０は、導管７０をさらに含み、導管７０は、シリンジバレル１２の前方端１６に隣接して位置付けられた第１の端部７２と、シリンジバレル１２の後方端１８に隣接して位置付けられた第２の端部７４との間に延在し、流体チャネル７６が、導管を通って延在する。導管７０は、プランジャヘッド５０をまたいで延在し、導管７０の第１の端部７２は、シリンジバレル１２の前方開口２２の内部に、または前方開口２２を通って延在して、前方開口２２との流体連通を提供し、導管７０の第２の端部７４は、流体チャネル７６が近位チャンバ２０ａと流体連通するように、近位チャンバ２０ａの内部に延在する。導管７０の第２の端部７４は、キャップ６０の角度をなす側面６８によって作られる、近位端１８における引っ込んだ場所の内部に位置付けられてもよい。このようにして、近位チャンバ２０ａの最も後方の、または最も近位の部分が、角度をなす側面６８の引っ込んだ場所によって設けられ、導管７０への入口が、近位チャンバ２０ａのこの最も近位の部分に位置付けられている第２の端部７４に提供される。この位置付けは、シリンジアセンブリ１０の使用に関してさらに詳細に説明するように、近位チャンバ２０ａから任意の薬品を放出する前に、近位チャンバ２０ａの内部に閉じ込められた空気を取り除くのに特に有用である。
【００２６】
シリンジアセンブリ１０の構成要素のすべては、任意の知られている材料からできていてよく、医療用高分子からできていることが望ましい。
【００２７】
シリンジアセンブリ１０は、プレフィルドシリンジとして特に有用であり、したがって、製造業者によってプレフィルドされた、シリンジバレル１２の近位チャンバ２０ａの内部に収容された薬剤などの流体との最終使用のために提供されてもよい。このようにして、エンドユーザが使用前に別個のバイアルからの薬剤でシリンジを満たす必要なしに、シリンジアセンブリ１０を製造し、薬剤でプレフィルドし、滅菌し、配送、保管、およびエンドユーザによる使用のための適切なパッケージングにおいて、パッケージすることができる。
【００２８】
使用において、シリンジアセンブリ１０は、プレフィルドされて、シリンジバレル１２の近位チャンバ２０ａの内部に収容された薬剤を備える。使用のために、シリンジアセンブリ１０は、指パッド６４上のユーザの親指、およびフランジカラー４８の指フランジ４８ａと４８ｂの間に広げたユーザの指によって握られる。このようにして、シリンジアセンブリ１０は、従来の皮下注射シリンジの操作と同様の、よく知られ、よく認識されたやり方で、ユーザに握られる。
【００２９】
薬剤を分注する前に、前方端１６を下に向けた状態でシリンジアセンブリ１０を準備することにより、近位チャンバ２０ａの内部に閉じ込められた空気を放出することができ、それにより、近位チャンバ２０ａ内部の空気が、キャップ６０の角度をなす側面６８によって設けられた引っ込んだ領域において、強制的に後方端１８に向かうことになる。任意の薬剤を放出させる前に、導管７０の第２の端部７４が角度をなす側面６８に近接したこの引っ込んだ場所の内部に位置付けられた状態で、プランジャヘッド５０が摺動する動きによるプランジャアセンブリ４０の最初の動きが、角度をなす側面６８の引っ込んだ場所で近位チャンバ２０ａの内部に閉じ込められたそのような空気を、第２の端部７４を通って導管７０の中へ、および第１の端部７２を出て出口開口２２の中へと、シリンジバレル１２から外に放出させることになる。
【００３０】
ユーザは、ルアーチップ２８を、別個の針アセンブリまたはＩＶ接続アセンブリに取り付け、ルアーロック３０のねじ山３２によって、知られているやり方で、ロックして係合することができる。薬剤の送達が望ましいときに、ユーザは、図２に示すように、親指と人差し指との間で押し込む動きを行い、それにより、指フランジ４８ａ、４８ｂ、およびフランジカラー４８を、遠位端または前方端１６から離れて近位端または後方端１８に向かう、矢印Ａの方向に動かす。指フランジ４８ａ、４８ｂ、およびフランジカラー４８のそのような動きは、内部のプランジャロッド４２、外部アーム４４、およびプランジャヘッド５０をフランジカラー４８と相互連結する連結アーム４６の相互連結を通して、プランジャヘッド５０に伝達される。シリンジバレル１２の内部チャンバ２０の内部のプランジャヘッド５０のそのような動きにより、近位チャンバ２０ａの容積が減少し、それにより、近位チャンバ２０ａの中に正圧を生み出す。遠位チャンバ２０ｂの内部の負圧を防ぐために、遠位チャンバ２０ｂと外部環境との間で空気流れのための機構を提供する通気孔３４を通して、空気を遠位チャンバ２０ｂの中に引き込むことができる。
【００３１】
近位チャンバ２０ａは、プランジャヘッド５０を通して、および後方開口２４のキャップ６０を通して、外部環境に対して密封されているので、近位チャンバ２０ａの内部の薬剤流体は、流体導管７０の第２の端部７４で、強制的に流体チャネル７６に入る。そのような流体薬剤は、流体チャネル７６を通って移動し、導管７０の第１の端部７２を通って出て、前方開口２２の中に入る。このようにして、前方開口２２を通して、別個の針アセンブリまたはＩＶアセンブリの中へ、さらに患者の中へと、流体薬剤をシリンジバレル１２から放出することができる。
【００３２】
プランジャヘッド５０がシリンジバレル１２の中を最大限に動くと、プランジャヘッド５０は、図３および図４Ａ〜４Ｄに示すように、キャップ６０の内部端に接触して「底を打ち」、プランジャヘッド５０およびキャップ６０の対応する角度をなす側面５４、６８は、それぞれ、対応する係合状態にある。導管の第２の端部７４が、近位端または後方端１８に最も近い、キャップ６０の角度をなす側面６８の部分に隣接した位置で、近位チャンバ２０ａの内部に配置される。このようにして、流体薬剤は、導管７０の第１の端部７２に向けて漏斗を通すように注がれ、シリンジバレル１２中を全体に摺動するプランジャヘッド５０の動きを通じて、近位チャンバ２０ａの内部容積は、流体薬剤で満たされたままである。この時点で、プランジャロッド４２、外部アーム４４、および連結アーム４６はすべて、シリンジバレル１２の実質的に外部に延在する。
【００３３】
そのような構成により、従来のシリンジ１の外形を本発明の実施形態に従ったシリンジアセンブリ１０と比較して表す図１３に見られるように、使用のために満たされているときのシリンジアセンブリ１０の全体的なサイズおよび形は、プランジャがシリンジバレルの内部に完全に延在した、従来のシリンジの使用後に類似した全体的な外形である。したがって、その外形は、使用前にバレルから後退したプランジャを含む従来のプレフィルドシリンジの外形から、大幅に縮小されている。
【００３４】
図５Ａ〜５Ｃおよび６Ａ〜６Ｃは、図１Ａ〜４Ｄに関連して上で説明したものと実質的に同じである代替的実施形態におけるシリンジアセンブリ１０を表すが、シリンジの内容物が露出するのを防ぎ、かつ汚染を防ぐための機構をさらに含む。特に、上で説明したように、注射およびシリンジの排出手順の間に、プランジャロッド４２は、シリンジバレル１２の内部から後退する。そのような後退の前に、プランジャロッド４２は、シリンジバレル１２の近位チャンバ２０ａの内部に収容されている流体と直接接触している。そのような流体で「濡れている」プランジャロッド４２に基づくプランジャロッド４２が後退する間に、ユーザがシリンジの内容物にさらされるのを防ぐために、展開可能な蛇腹部８０などのバリアを提供することができる。蛇腹部８０は、後退の間に、シリンジバレル１２の外部に延在するプランジャロッド４２の部分を取り囲むことができる。したがって、蛇腹部８０は、プランジャロッド４２の外部に露出する部分のまわりを取り囲み、包んで、プランジャロッド４２が後退すると、展開するようになされている。たとえば、蛇腹部８０は、連結アーム４６に隣接したプランジャロッド４２の端部と、プランジャロッド４２がキャップ６０を通って延在する場所においてキャップ６０まで伸長する間とを相互連結する、アコーディオンスタイルの構造であってもよい。シリンジアセンブリ１０が、プランジャロッド４２がシリンジバレル１２の内部に延在している使用前のプレフィルド状態にあるとき、蛇腹部８０は、図５Ａ〜５Ｃに示すように、少なくとも部分的に、たいていは完全に、折りたたまれている。指フランジ４８ａ、４８ｂが動いてプランジャロッド４２が外部へと後退するとき、蛇腹部８０が展開して、プランジャロッド４２を取り囲み、密封された環境に維持する。したがって、プランジャロッド４２に接触しているいかなる流体も、蛇腹部８０の内部に維持され、ユーザに接触することを防ぐ。さらに、ユーザが、使用中または使用後に、プランジャロッド４２をシリンジバレル１２の中に押し戻す場合、蛇腹部８０は、プランジャロッド４２が外部環境に接触するのを防ぐので、シリンジバレル１２の内部の滅菌状態が維持される。
【００３５】
図７Ａ〜７Ｄおよび８Ａ〜８Ｄは、図１Ａ〜４Ｃの実施形態において上で説明したものと同様の、さらなる実施形態におけるシリンジアセンブリを表すが、導管についての異なる構成を備える。特に、図７Ａ〜７Ｄおよび図８Ａ〜８Ｄの実施形態において、導管１７０は、プランジャヘッド５０による動きのためになされた、展開可能な、または伸長可能な部材として提供される。導管１７０は、上で説明した導管７０と同様に、第１の端部１７２と第２の端部１７４との間に延在する内部流体チャネルを含み、プランジャヘッド５０をまたぎ、第１の端部１７２は、シリンジバレル１２の前方端１６に隣接して位置付けられている。しかしながら、この実施形態では、導管１７０の第２の端部１７４が、プランジャヘッド５０をまたいでプランジャヘッド５０の後方端または近位端に直接隣接した位置で近位チャンバ２０ａの中に延在し、第２の端部１７４はプランジャヘッド５０に固定されている。したがって、シリンジアセンブリ１０が使用前のプレフィルド状態にあるとき、導管１７０を通って延在する流体チャネルは、先の実施形態でのように使用前にシリンジバレル１２の全体を通って後方端１８まで延在するのとは対照的に、プランジャヘッド５０と近位チャンバ２０ａとが接触する領域で、直接近位チャンバ２０ａと流体連通している。さらに、図７Ａ〜７Ｄおよび図８Ａ〜８Ｄの実施形態において、導管１７０は伸長可能であり、それにより、プランジャヘッド５０がシリンジバレル１２の内部のシリンジ壁１４に沿って摺動する、または動くとき、導管１７０の第２の端部１７４は、プランジャヘッド５０と共に動く。これは、たとえば、導管１７０を、シリンジアセンブリ１０の使用前には遠位チャンバ２０ｂの内部に収容することが可能で、使用中には伸長することできる可撓性のあるチューブとして、または、使用中に伸長することができる巻きコイルとして提供することによって、または他のやり方で実現することができる。
【００３６】
図７Ａ〜７Ｄおよび図８Ａ〜８Ｄの実施形態において表すシリンジアセンブリ１０の操作は、先に説明した実施形態のものと同様である。しかしながら、図７Ａ〜７Ｄおよび図８Ａ〜８Ｄの実施形態においては、閉じ込められた空気をシリンジの内部から最初に放出するために、シリンジアセンブリ１０を、前方端１６を下に向けた状態で準備する必要はなく、代わりに、より従来的なシリンジ操作でのように前方端１６を上に向けた状態で準備することができることに留意されたい。その理由は、この実施形態では、近位チャンバ２０ａから出る流体流れの最初のポイントが、近位チャンバ２０ａの内部のプランジャヘッド５０の接触面ですぐに発生するからである。薬剤を放出するために、先の実施形態でのようにプランジャアセンブリ４０が作動し、指フランジ４８ａ、４８ｂを通してフランジカラー４８が動くと、プランジャアセンブリ４０の動きを引き起こし、したがって、近位チャンバ２０ａの内部から第２の端部１７４で直接導管１７０の流体チャネルの中に入って、第１の端部１７２を出る、流体の流れを引き起こす。
【００３７】
図９および図１０は、本発明に従ったシリンジアセンブリのさらなる実施形態を表す。図９〜図１０のシリンジアセンブリ１０は、先に説明した図１Ａ〜図４Ｄの実施形態のものと同様の構成要素を含むが、導管７０が、シリンジアセンブリ１０の全体的に細長い軸線に対して径方向に中心を合わせて延在する。
【００３８】
さらなる実施形態においては、制御された投与システムを提供できることが企図される。たとえば、シリンジバレル１２の外部面が、１ｍｌ増加分ごとなどのあらかじめ定めた増加分で、シリンジバレル１２の目盛に沿った刻み目または突起を備えてもよい。フランジカラー４８の内部周辺の少なくとも一部を囲んで延在するフラップなどの、さらなる突起またはフラップがまた、フランジカラー４８に提供されることになる。薬剤送達の間、フランジカラー４８は、後方端１８に向かってシリンジバレル１２の外側面に沿って進むので、フランジカラー４８上のフラップは、シリンジバレル１２上でそれぞれ次に来る刻み目または突起と接触し、ぶつかり、それにより、それぞれあらかじめ定めた投与増加分のユーザに、可聴の、または触感による表示を与えることになる。このようにして、ユーザは、それぞれの投与の分量が特定の増加分で送達されるときに、聞く、または感じることができる。
【００３９】
図１１および図１２は、本発明に従ったシリンジアセンブリの代替的実施形態を表す。図１１および図１２に表すこの代替的実施形態は、プランジャロッドの後退端部におけるシリンジアセンブリの出口端部の位置を変える。より詳細には、シリンジアセンブリ２００は、第１の端部２１６と第２の端部２１８との間に延在する壁２１４を有するシリンジバレル２１２を含み、シリンジバレル２１２の中に内部チャンバ２２０を形成する。第１の端部２１６は、ルアーチップ２２８を含む開口２２２を含み、開口は、シリンジアセンブリ２２０の中心軸線からずれていてもよい。通気孔２３８は、第２の端部２１８に隣接して位置付けられる。
【００４０】
シリンジアセンブリ２００は、プランジャヘッド２５０に連結されたプランジャロッド２４２を含むプランジャアセンブリ２４０をさらに含む。プランジャヘッド２５０は、シリンジバレル２１２の内部チャンバ２２０を、２つの別個のチャンバ、すなわち、第１のチャンバ２２０ａと第２のチャンバ２２０ｂとに分離する。プランジャロッド２４２は、シリンジバレル２１２の内部チャンバ２２０の内部に延在し、第１の端部２１６を通って外部環境へ出る。
【００４１】
そのような構成により、シリンジアセンブリ２００は、以下のように機能する。薬剤などの流体が、シリンジバレル２１２の第１のチャンバ２２０ａの内部に収容されている。薬剤を放出するために、プランジャロッド２４２を引っ張ることによってプランジャアセンブリ２４０が作動し、それにより、プランジャヘッド２５０をシリンジバレル２１２の内部で摺動させる。第１のチャンバ２２０ａと流体連通している薬剤が、シリンジバレル２１２の第１の端部２１６の開口２２２を通って強制的に出される。通気孔２３８は、第２のチャンバ２２０ｂの内部の負圧を防ぐ。このようにして、薬剤を放出し、ルアーチップ２２８を通して送達することができる。シリンジ開口２２２がアセンブリの反対側の端部に配置されているものの、そのような実施形態は、先に論じた実施形態と同様である。
【００４２】
本明細書で提供された実施形態のそれぞれにおいて、使用前に薬剤などの流体で満たされているときのシリンジアセンブリの全体的な外形および寸法は、これまでのシリンジと比較した場合に、大幅に縮小される。この縮小した外形は、シリンジアセンブリが使用のために満たされているときに、ストッパまたはプランジャヘッドを延在させるために使用されるプランジャロッドのかなりの部分を、シリンジバレルの内部に維持することによって実現される。したがって、プランジャロッドは、使用前にわずかなスペースしか占有せず、それによりパッケージングを削減し、無駄を排除する。廃棄する場合、医師は、プランジャロッドをその開始位置まで押して、鋭利物廃棄容器などへの廃棄のために全体的な外形を縮小する選択を有し、それにより、廃棄に必要な保管スペースの量を削減する。
【００４３】
加えて、いくつかの実施形態は、シリンジアセンブリの使用に従来の操作を含んで、薬剤を放出する。たとえば、本発明のシリンジアセンブリの触感面は、従来のシリンジと類似したやり方で、ユーザの指および親指を受け入れるために位置する指フランジおよび親指押しを含み、それにより、シリンジアセンブリ内で流体の逆方向の動きを引き起こすシリンジアセンブリ内部の異なる構成にもかかわらず、従来の押し込む動きによって、薬剤を放出する。したがって、アセンブリが縮小した全体的な外形を備えていても、ユーザは、薬剤を分注するための操作または使用の変化を意識しない。
【図１Ａ】
0005600171.tif 000002
【図１Ｂ】
0005600171.tif 000003
【図１Ｃ】
0005600171.tif 000004
【図１Ｄ】
0005600171.tif 000005
【図２】
0005600171.tif 000006
【図３】
0005600171.tif 000007
【図４Ａ】
0005600171.tif 000008
【図４Ｂ】
0005600171.tif 000009
【図４Ｃ】
0005600171.tif 000010
【図４Ｄ】
0005600171.tif 000011
【図５Ａ】
0005600171.tif 000012
【図５Ｂ】
0005600171.tif 000013
【図５Ｃ】
0005600171.tif 000014
【図６Ａ】
0005600171.tif 000015
【図６Ｂ】
0005600171.tif 000016
【図６Ｃ】
0005600171.tif 000017
【図７Ａ】
0005600171.tif 000018
【図７Ｂ】
0005600171.tif 000019
【図７Ｃ】
0005600171.tif 000020
【図７Ｄ】
0005600171.tif 000021
【図８Ａ】
0005600171.tif 000022
【図８Ｂ】
0005600171.tif 000023
【図８Ｃ】
0005600171.tif 000024
【図８Ｄ】
0005600171.tif 000025
【図９】
0005600171.tif 000026
【図１０】
0005600171.tif 000027
【図１１】
0005600171.tif 000028
【図１２】
0005600171.tif 000029
【図１３】
0005600171.tif 000030